(57)【要約】  本発明による携帯用マスク装置は、内部の所定の位置に配設された吸気口により画成され、一方の面の所定の位置に排気口が形成され、内部の所定の位置に空気吸入部材が設けられた第１空間部と、内部に空気ろ過部材が収容される第２空間部とを有する胴体と、前記胴体の上部面の所定の位置に所定の間隔を隔てて設けられた一対の鼻腔嵌入部と、前記胴体の上部に着脱自在に取り付けられて前記鼻腔嵌入部を開閉するカバーと、前記胴体の下部に取り付けられて前記空気ろ過部材が前記第２空間部から脱抜されることを防ぐ吸入プレートと、を備えるが、前記吸気口の上部面には吸気膜が前記吸気口を開閉可能なように取り付けられ、前記排気口の外部面には排気膜が前記排気口を開閉可能なように取り付けられることを特徴とする。【選択図】図1
2015504717.tif 000002
【特許請求の範囲】
【請求項１】
内部の所定の位置に配設された吸気口により画成され、一方の面の所定の位置に排気口が形成され、内部の所定の位置に空気吸入部材が設けられた第１空間部と、内部に空気ろ過部材が収容される第２空間部とを有する胴体と、
前記胴体の上部面の所定の位置に所定の間隔を隔てて設けられた一対の鼻腔嵌入部と、
前記胴体の上部に着脱自在に取り付けられて前記鼻腔嵌入部を開閉するカバーと、
前記胴体の下部に取り付けられて前記空気ろ過部材が前記第２空間部から脱抜されることを防ぐ吸入プレートと、を備えるが、
前記吸気口の上部面には吸気膜が前記吸気口を開閉可能なように取り付けられ、前記排気口の外部面には排気膜が前記排気口を開閉可能なように取り付けられることを特徴とする携帯用マスク装置。
【請求項２】
前記空気吸入部材は、
前記第１空間部の上部面の所定の位置に下方に突き出るように配設された係着部に係着されるモーターと、前記モーターの駆動軸に取り付けられるブレードと、を備えることを特徴とする請求項１に記載の携帯用マスク装置。
【請求項３】
前記カバーの幅方向の内側面の所定の位置には接地遮断部が下方に突設されることを特徴とする請求項１に記載の携帯用マスク装置。
【請求項４】
前記第１空間部の幅方向の一方の面の所定の位置には前記空気吸入部材に電源を供給するバッテリを収納する収納部が形成され、前記収納部の上部面の所定の位置には前記接地遮断部が嵌め込まれるように嵌合溝が形成されることを特徴とする請求項３に記載の携帯用マスク装置。
【請求項５】
前記空気ろ過部材は、第１防塵フィルター、ゼオライト、ホプカライト、活性炭及び第２防塵フィルターの順で配列されることを特徴とする請求項１に記載の携帯用マスク装置。
【請求項６】
前記排気口の外縁面の所定の位置には一対の係着溝が対称状に形成され、前記係着溝には前記排気膜が外部に脱抜されることを防ぐ排気膜カバーが係着されることを特徴とする請求項１に記載の携帯用マスク装置。
【請求項７】
前記吸入プレートは、長手方向に沿って複数の吸入孔が所定の間隔を隔てて形成された格子構造を有することを特徴とする請求項１に記載の携帯用マスク装置。
【発明の詳細な説明】
【技術分野】
【０００１】
本発明は携帯用マスク装置に係り、さらに詳しくは、防毒機能と防塵機能を有し、しかも、携帯し易い携帯用マスク装置に関する。
【背景技術】
【０００２】
一般に、マスクは、有毒ガスや蒸気、有毒性微粒子などが排出される汚染された環境に対する防御として開発されたものであり、汚染された環境及び火災の発生により発生する有毒ガスに起因する死亡が増えるため、危急状況では欠かせない装備である。
【０００３】
特に、地下空間で火災が発生したとき、火災による死亡率よりは有毒ガスによる死亡率の方が高いため、地下空間でのマスクは使用は重要である。
【０００４】
また、火災や災害による人命被害が増えることに伴い、地下鉄駅、空港などに防毒マスクが配置されているが、一般人はその正確な使い方が分からず、着用することができないという問題がある。
【０００５】
なお、一般人が個人向けに所持するには値段が高すぎ、しかも、携帯し難いという問題がある。
【発明の概要】
【発明が解決しようとする課題】
【０００６】
したがって、本発明は上述した問題点を解消するために案出されたものであり、その目的は、着用しやすく、しかも、携帯しやすく、一般人が速やかに使用人体の呼吸器官を保護しながら、汚染された環境または火災発生現場から安全に逃げることのできる携帯用マスク装置を提供することである。
【課題を解決するための手段】
【０００７】
上記及びその他の本発明の目的を達成するために、本発明の実施形態によれば、内部の所定の位置に配設された吸気口により画成され、一方の面の所定の位置に排気口が形成され、内部の所定の位置に空気吸入部材が設けられた第１空間部と、内部に空気ろ過部材が収容される第２空間部とを有する胴体と、前記胴体の上部面の所定の位置に所定の間隔を隔てて設けられた一対の鼻腔嵌入部と、前記胴体の上部に着脱自在に取り付けられて前記鼻腔嵌入部を開閉するカバーと、前記胴体の下部に取り付けられて前記空気ろ過部材が前記第２空間部から脱抜されることを防ぐ吸入プレートと、を備えるが、前記吸気口の上部面には吸気膜が前記吸気口を開閉可能なように取り付けられ、前記排気口の外部面には排気膜が前記排気口を開閉可能なように取り付けられることを特徴とする携帯用マスク装置を提供する。
【０００８】
好ましくは、前記空気吸入部材は、前記第１空間部の上部面の所定の位置に下方に突き出るように配設された係着部に係着されるモーターと、前記モーターの駆動軸に取り付けられるブレードと、を備える。
【０００９】
また、好ましくは、前記カバーの幅方向の内側面の所定の位置には接地遮断部が下方に突設される。
【００１０】
さらに、好ましくは、前記第１空間部の幅方向の一方の面の所定の位置には前記空気吸入部材に電源を供給するバッテリを収納する収納部が形成され、前記収納部の上部面の所定の位置には前記接地遮断部が嵌め込まれるように嵌合溝が形成される。
【００１１】
さらに、好ましくは、前記空気ろ過部材は、第１防塵フィルター、ゼオライト、ホプカライト、活性炭及び第２防塵フィルターの順に配列される。
【００１２】
さらに、好ましくは、前記排気口の外縁面の所定の位置には一対の係着溝が対称状に形成され、前記係着溝には前記排気膜が外部に脱抜されることを防ぐ排気膜カバーが係着される。
【００１３】
さらに、好ましくは、前記吸入プレートは、長手方向に沿って複数の吸入孔が所定の間隔を隔てて形成された格子構造を有する。
【発明の効果】
【００１４】
上述した構成を有する本発明によれば、着用しやすく、しかも、携帯しやすく、一般人が速やかに使用人体の呼吸器官を保護しながら、汚染された環境または火災発生現場から安全に逃げることができるという効果がある。
【図面の簡単な説明】
【００１５】
【図１】本発明の一実施形態による携帯用マスク装置の斜視図である。
【図２】本発明の一実施形態による携帯用マスク装置の分解斜視図である。
【図３】本発明の一実施形態による携帯用マスク装置の側断面図である。
【図４】本発明の一実施形態による携帯用マスク装置の使用状態を示す断面図である。
【図５】本発明の実施形態の変形例による携帯用マスク装置の断面図である。
【発明を実施するための形態】
【００１６】
以下、添付図面に基づき、本発明の好適な実施形態について詳細に説明する。この過程で、図示の線の厚さや構成要素の大きさなどは説明の明瞭性と便宜性のために誇張されていてもよい。
【００１７】
また、後述する用語は本発明における機能を考慮して定義された用語であり、これは、ユーザー、運用者の意図または慣例に応じて異なることがある。よって、これらの用語に関する定義は、本明細書全般に渡っての内容に基づいて下されるべきである。
【００１８】
図１は、本発明の一実施形態による携帯用マスク装置の斜視図であり、図２は、本発明の一実施形態による携帯用マスク装置の分解斜視図であり、図３は、本発明の一実施形態による携帯用マスク装置の側断面図であり、図４は、本発明の一実施形態による携帯用マスク装置の使用状態を示す断面図である。
【００１９】
図１から図４を参照すると、本発明の一実施形態による携帯用マスク装置１００は、胴体１１０と、カバー１５０と、鼻腔嵌入部１７０と、吸入プレート１８０と、を備えている。
【００２０】
胴体１１０は、内部の所定の位置に配設された吸気口１２０により画成され、一方の面の所定の位置に排気口１３０が形成され、内部の所定の位置に空気吸入部材１４０が設けられた第１空間部１１２と、内部に空気ろ過部材１６０が収容される第２空間部１１４と、を有する。
【００２１】
吸気口１２０は、中心部の所定の位置に少なくとも１以上の吸入孔１２２が形成されたプレート状を呈し、上部面の所定の位置には一対の貫通孔１２４が所定の間隔を隔てて形成され、貫通孔１２４には吸気口１２０に形成された吸入孔１２２を開閉する吸気膜１２６が係合される。
【００２２】
排気口１３０は、第１空間部１１２の一方の面の所定の位置に複数の排気孔１３２が穿孔された形状に形成され、排気口１３０の外部面の所定の位置には一対の貫通孔１３４が所定の間隔を隔てて形成され、貫通孔１３４には排気口１３０に形成された排気孔１３２を開閉する排気膜１３６が係合される。
【００２３】
また、排気口１３０の外縁面の所定の位置には一対の係着溝１３７が対称状に形成され、この係着溝１３７には排気膜１３６が外部に脱抜されることを防ぐ排気膜カバー１３８が係着される。
【００２４】
空気吸入部材１４０は、第１空間部１１２の上部面の所定の位置に下方に突き出るように配設された係着部１１２ａに係着されるモーター１４２と、モーター１４２の駆動軸に取り付けられるブレード１４４と、を備える。
【００２５】
このとき、空気吸入部材１４０は、吸気口１２０に形成された吸入孔１２２を開閉する吸気膜１２６とぶつからないように第１空間部１１４の内部に配設されることが好ましい。
【００２６】
一方、図５は、本発明の実施形態の変形例による携帯用マスク装置の側断面図である。図５を参照すると、吸気口１２０の中心部の所定の位置に一つの吸入孔１２２を形成し、この吸入孔１２２に空気吸入部材１４０のブレード１４４を配設してもよい。このとき、吸気口１２０に形成された吸入孔１２２を開閉する吸気膜１２６は用いられない。
【００２７】
さらに、図４を参照すると、第１空間部１１２の幅方向の一方の面には空気吸入部材１４０のモーター１４２に電源を供給するバッテリＢが収納される収納部１１６が第１空間部１１４から離れて形成され、収納部１１６の内部の両側面には空気吸入部材１４０と電気的に接続された（＋）、（−）接地端子がそれぞれ形成される。
【００２８】
また、収納部１１６の上部面の所定の位置には後述するカバー１５０の幅方向の内側面の所定の位置に下方に突き出るように配設された接地遮断部１５２が嵌め込まれる嵌合溝１１６ａが形成される。
【００２９】
さらに、図示はしないが、収納部１１６と対応する胴体１１０の外側面の一部を開閉自在に構成して、収納部１１６に収納されたバッテリＢを交換可能なようにすることがさらに好ましい。
【００３０】
空気ろ過部材１６０は、第２空間部１１４の内部に収容されて外部から流入する空気をろ過する。このような空気ろ過部材１６０は、第２空間部１１４に流入するほこりを除去する第１防塵フィルター１６２と、第２空間部１１４に流入する空気中に含まれている湿気を除去するゼオライト１６３と、第２空間部１１４に流入する煙を除去するホプカライト１６４と、第２空間部１１４に流入した空気を浄化する活性炭１６５と、第１防塵フィルター１６２により除去できずに残ったほこりを再び除去する第２防塵フィルター１６６と、を備える。
【００３１】
このような空気ろ過部材１６０は、下から上に、第１防塵フィルター１６２、ゼオライト１６３、ホプカライト１６４、活性炭１６５及び第２防塵フィルター１６６の順に積層されることが好ましい。
【００３２】
併せて、いうまでもなく、第２空間部１１４の内部に収容される空気ろ過部材１６０は、ユーザーの意図によって異なることがある。
【００３３】
鼻腔嵌入部１７０は、胴体１１０の上部面の所定の位置に所定の間隔を隔てて設けられ、ユーザーの鼻腔に嵌め込まれる。
【００３４】
カバー１５０は、胴体１１０の上部に着脱自在に取り付けられて鼻腔嵌入部１７０を開閉する。
【００３５】
カバー１５０の長手方向の内側面の所定の位置には、上述した収納部１１６の上部面の所定の位置に形成された嵌合溝１１６ａに嵌め込まれる接地遮断部１５２が形成され、このような接地遮断部１５２は絶縁体から形成されることが好ましい。
【００３６】
このような接地遮断部１５２は、カバー１５０が胴体１１０の上部に取り付けられるとき、嵌合溝１１６ａを介して収納部１１６の内部に嵌め込まれてバッテリＢと接地端子との間に配設されてバッテリＢと接地端子との接地を遮断する。
【００３７】
すなわち、カバー１５０が胴体１１０の上部に取り付けられれば、接地遮断部１５２が嵌合溝１１６ａを介して収納部１１６の内部に嵌め込まれてバッテリＢと接地端子との接地を遮断することにより空気吸入部材１４０の作動が止まり、これとは逆に、カバー１５０が胴体１１０の上部から取り外されれば、接地遮断部１５２が嵌合溝１１６ａを介して収納部１１６の外部に取り出されるため、バッテリＢと接地端子が接地されて空気吸入部材１４０が作動される。
【００３８】
吸入プレート１８０は、胴体１１０の下部に取り付けられて第２空間部１１４の内部に収容された空気ろ過部材１６０が第２空間部１１４から脱抜されることを防ぐ。
【００３９】
このような吸入プレート１８０は、外部の空気が第２空間部１１４の内部に流入するように吸入プレート１８０の長手方向に沿って複数の吸入孔１８２が所定の間隔を隔てて形成された格子構造を有することが好ましい。
【００４０】
以下、上述した構成を有する本発明の一実施形態による携帯用マスク装置の使用状態について説明する。
【００４１】
先ず、ユーザーがカバー１５０を胴体１１０から取り外した後、鼻腔嵌入部１７０をユーザーの鼻腔に嵌め込む。このとき、第２空間部１１４の内部に設けられた空気吸入部材１４０は作動されている状態である。
【００４２】
次いで、ユーザーが鼻腔を介して空気を吸い込むと、吸気口１２０に形成された吸入孔１２２を開閉する吸気膜１２６が吸気口１２０から離れ、このとき、外部の空気は第２空間部１１４の内部に収容された空気ろ過部材１６０によりろ過された後、第１空間部１１２を経て鼻腔嵌入部１７０を介してユーザーに供給される。
【００４３】
このとき、空気吸入部材１４０は、外部の空気が空気ろ過部材１６０によりろ過された後、ユーザーにスムーズに供給されるように補助する。
【００４４】
これとは逆に、ユーザーが鼻腔を介して空気を吐き出すと、吸気膜１２６は吸気口１２０に形成された吸入孔１２２を閉塞し、これと同時に、排気口１３０に形成された排気孔１３２を開閉する排気膜１３６が排気口１３０から離れてユーザーが吐き出した空気を外部に排出する。
【００４５】
したがって、本発明の実施形態による携帯用マスク装置によれば、着用しやすく、しかも、携帯しやすく、一般人が速やかに使用人体の呼吸器官を保護しながら、汚染された環境または火災発生現場から安全に逃げることのできる携帯用マスク装置を提供することである。
【００４６】
以上、添付図面に基づき、本発明の好適な実施形態について説明したが、当該技術分野において通常の知識を有する者は、下記の実用新案請求範囲に記載の本発明の技術思想から逸脱しない範囲内で本発明を様々に修正及び変更することができるということが理解できる筈である。
【符号の説明】
【００４７】
１１０  胴体
１１２  第１空間部
１１２ａ  係着部
１１４  第２空間部
１１６  収納部
１１６ａ  嵌合溝
１２０  吸気口
１２２  吸入孔
１２４  貫通孔
１２６  吸気膜
１３０  排気口
１３２  排気孔
１３４  貫通孔
１３６  排気膜
１３７  係着溝
１３８  排気膜カバー
１４０  空気吸入部材
１４２  モーター
１４４  ブレード
１５０  カバー
１５２  接地遮断部
１６０  空気ろ過部材
１７０  鼻腔嵌入部
１８０  吸入プレート
１８２  吸入孔
【図１】
2015504717.tif 000003
【図２】
2015504717.tif 000004
【図３】
2015504717.tif 000005
【図４（ａ）】
2015504717.tif 000006
【図４（ｂ）】
2015504717.tif 000007
【図５】
2015504717.tif 000008
【国際調査報告】
2015504717.tif 000009
2015504717.tif 000010
2015504717.tif 000011
2015504717.tif 000012